(57)【要約】【課題】  保管や輸送にスペースを取らず、しかも現場で何も手を加えず１動作で内容物を収納することができる小物入れケースの平板状素材を得ること。【解決手段】  一枚の厚めの紙類の形状を、上フラップ１の左縁と右縁に側面フラップ２を連接してその連接部を谷折り線１Ａ、１Ａとし、該側面フラップ２の中央に前記谷折り線１Ａ、１Ａに平行する中央谷折り線２Ａ、２Ａを設け、前記上フラップ１の下方に前記中央谷折り線２Ａ、２Ａの横幅を有している底面フラップ３と下フラップ４とを順次連接してその連接部を谷折り線３Ａ、３Ａとし、該谷折り線３Ａ、３Ａに平行する山折り線３Ｂを前記底面フラップ３の中央に設け、前記底面フラップ３と下フラップ４に、前記上フラップ１の谷折り線１Ａ、１Ａと一直線に連なる谷折り線４Ａ、４Ａを設け、かつ、前記底面フラップ３の左端部と右端部に、山形の山折り線３Ｃを設ける。【選択図】図１
0003135881.tif 000002
【実用新案登録請求の範囲】
【請求項１】
所定の形状を有する一枚の厚めの紙類を折り曲げて形成されるケースの平板状素材において、前記一枚の厚めの紙類の形状を、上フラップ１の左縁と右縁に側面フラップ２を連接してその連接部を谷折り線１Ａ、１Ａとし、該側面フラップ２の中央に前記谷折り線１Ａ、１Ａに平行する中央谷折り線２Ａ、２Ａを設け、該中央谷折り線２Ａ、２Ａの外側部分の表面を接着面１Ｓとし、前記上フラップ１の下方に前記中央谷折り線２Ａ、２Ａの横幅を有している底面フラップ３と下フラップ４とを順次連接してその連接部を谷折り線３Ａ、３Ａとし、該谷折り線３Ａ、３Ａに平行する山折り線３Ｂを前記底面フラップ３の中央に設け、前記底面フラップ３と下フラップ４に、前記上フラップ１の谷折り線１Ａ、１Ａと一直線に連なる谷折り線４Ａ、４Ａを設け、下フラップ４の谷折り線４Ａ、４Ａの外側部分の裏面を接着面４Ｓとし、かつ、前記底面フラップ３の左端部と右端部に、前記上フラップ１の谷折り線１Ａ、３Ａの交点と下フラップ４の谷折り線３Ａ、４Ａの交点と底面フラップ３の端部の三点を、それぞれ結ぶ山形の山折り線３Ｃを設けるようにしたことを特徴とする小物入れケースの平板状素材。
【請求項２】
平板状素材の全体を、表面に左右方向に波型の凹凸が延びる波形ダンボールで構成したことを特徴とする請求項１に記載の小物入れケースの平板状素材
【請求項３】
上フラップ１の上縁に蓋フラップ５を連接してその連接部を谷折り線５Ａとし、下フラップ４の下縁に切欠部６を設けたことを特徴とする請求項１または請求項２に記載の小物入れケースの平板状素材
【考案の詳細な説明】
【技術分野】
【０００１】  本考案は、所定の形状を有する一枚の紙類を折り曲げて形成されるケースの平板状素材に関する。
【背景技術】
【０００２】  従来、内容物を収納するケースの素材としては、収納ケースを偏平にしてその保管や輸送をし、収納時に現場で組み立てて収納空間を作り、内容物を収納するようにしたものが知られている。その一例が特許文献１（特開２０００−８５７４５号公報）に開示されている。
このものは、保管や輸送にはスペースを減らせるため便利であるが、組み立てる際に舌片を折り込んで収納空間をつくりケースの形を保持してから、内容物を収納しその後に下蓋面と上蓋面を重ね合わせている。【０００３】  したがって、前述の従来品では、内容物の収納時に、人手がかかり、これを機械化するには複雑な装置を用いなければならない。そして、保管や輸送にスペースを取らず、しかも現場で格別の手作業を要することなく、１動作で内容物の収納空間をつくることができるようにした安価なケースの素材は知られていない。【０００４】
【特許文献１】  特開２０００−８５７４５号公報
【考案の開示】
【考案が解決しようとする課題】
【０００５】  本考案の技術課題は、先行技術がもつ上記の問題を解決し、保管や輸送にスペースを取らず、しかも現場で格別の手作業を要することなく、１動作で内容物の収納空間をつくることができ、さらには、内容物の大きさに応じてケースの大きさを随時変えられ、開口部を簡単に閉鎖することができ内容物の取りだしも容易にすることができるような安価なケースの平板状素材を得ることにある。
【課題を解決するための手段】
【０００６】  保管や輸送にスペースを取らず、しかも現場で現場で格別の手作業を要することなく、１動作で内容物の収納空間をつくることができるようにした手段は、次のものである。
一枚の厚めの紙類の形状を、上フラップ１の左縁と右縁に側面フラップ２を連接してその連接部を谷折り線１Ａ、１Ａとし、該側面フラップ２の中央に前記谷折り線１Ａ、１Ａに平行する中央谷折り線２Ａ、２Ａを設け、該中央谷折り線２Ａ、２Ａの外側部分の表面を接着面１Ｓとし、前記上フラップ１の下方に前記中央谷折り線２Ａ、２Ａの横幅を有している底面フラップ３と下フラップ４とを順次連接してその連接部を谷折り線３Ａ、３Ａとし、該谷折り線３Ａ、３Ａに平行する山折り線３Ｂを前記底面フラップ３の中央に設け、前記底面フラップ３と下フラップ４に、前記上フラップ１の谷折り線１Ａ、１Ａと一直線に連なる谷折り線４Ａ、４Ａを設け、下フラップ４の谷折り線４Ａ、４Ａの外側部分の裏面を接着面４Ｓとし、かつ、前記底面フラップ３の左端部と右端部に、前記上フラップ１の谷折り線１Ａ、３Ａの交点と下フラップ４の谷折り線３Ａ、４Ａの交点と底面フラップ３の端部の三点をそれぞれ結ぶ山形の山折り線３Ｃを設けるようにした。【０００７】  前記のものにおいて、内容物の大きさに応じてケースの大きさを随時変えられるようにした手段は次のものである。
平板状素材の全体を、表面に左右方向に波型の凹凸が延びる波形ダンボールで構成した。【０００８】  前記のものにおいて、開口部を簡単に閉鎖することができ内容物の取りだしを容易にすることができるようにした手段は次のものである。
上フラップ１の上縁に蓋フラップ５を連接してその連接部を谷折り線５Ａとし、下フラップ４の下縁に切欠部６を設けた。
【考案の効果】
【０００９】  請求項１に記載した本考案によれば、本考案品を保管や出荷する前に、接着面１Ｓと接着面４Ｓとを接着すれば、ケースの側面は谷折り線２Ａにより谷折ることができ、ケースの裏面は山折線３Ｂにより山折ることができるため、全体を偏平にして保管や輸送をすることができる。しかも、現場における収納物の収納時には、側面フラップ２を内向きに押すという１動作のみでケースの収容空間が形成され、収納作業の機械化も容易である。さらに、底面フラップ３の両端部の山形の山折り線３Ｃは、ケースの収容空間の底の両端をきっちりと閉鎖して収容物の脱出を完全に阻止する。そして、平板状素材の製造は勿論のこと、保管、輸送、収納等にかかる費用を著しく節減することができる。【００１０】  請求項２に記載した本考案によれば、平板状素材の全体が波形ダンボールで構成され、波型の凹凸が左右方向に延びているため、その凹凸に沿って折り曲げケースの開口部を容易に閉鎖することができる。しかも、平板状素材の全体が波形ダンボールで構成されているから、ケースのどの部分からでも容易に折り曲げることができる。すなわち、内容物が少量のときは、深く折り曲げてケースを小さめにし、内容物が大量のときは、浅く折り曲げてケースを大きめにすることができる。その上、その波型の凹凸は内容物に対し良好な緩衝作用をもたらす。【００１１】  請求項３に記載した本考案によれば、内容物を収納した後、谷折り線５Ａから蓋フラップ５を折り曲げれば、ケースの開口部を極めて簡単に閉鎖することができる。また、切欠部６によってケースの中身を容易に探索することができ、所望の内容物を容易に取り出すことができる。
【考案を実施するための最良の形態】
【００１２】  一枚の厚めの紙類の形状を、上フラップ１の左縁と右縁に側面フラップ２を連接してその連接部を谷折り線１Ａ、１Ａとし、該側面フラップ２の中央に前記谷折り線１Ａ、１Ａに平行する中央谷折り線２Ａ、２Ａを設け、該中央谷折り線２Ａ、２Ａの外側部分の表面を接着面１Ｓとし、前記上フラップ１の下方に前記中央谷折り線２Ａ、２Ａの横幅を有している底面フラップ３と下フラップ４とを順次連接し、てその連接部を谷折り線３Ａ、３Ａとし、該谷折り線３Ａ、３Ａに平行する山折り線３Ｂを前記底面フラップ３の中央に設け、前記底面フラップ３と下フラップ４に、前記上フラップ１の谷折り線１Ａ、１Ａと一直線に連なる谷折り線４Ａ、４Ａを設け、下フラップ４の谷折り線４Ａ、４Ａの外側部分の裏面を接着面４Ｓとし、かつ、前記底面フラップ３の左端部と右端部に、前記上フラップ１の谷折り線１Ａ、３Ａの交点と下フラップ４の谷折り線３Ａ、４Ａの交点と底面フラップ３の端部の三点をそれぞれ結ぶ山形の山折り線３Ｃを設ける。
【実施例】
【００１３】  添付図面を参照しながら、本考案の実施例を説明する。
図１は本考案の平板状素材の実施例であり、図２は該素材の底面フラップ３の山折り線３Ｂを山折りしたときの斜視図、図３は谷折り線３Ａ、３Ａを谷折りし下フラップ４を上フラップ１に重ねたときの斜視図、図４は下フラップ４の接着面４Ｓに上フラップ１の接着面１Ｓを重ねて接着したときの斜視図、図５は側面フラップ２を内向きに押してケースの収容空間を形成したときの斜視図、図６は蓋フラップ５を谷折り線５Ａによって折り曲げケースの開口部を閉鎖したときの斜視図。図７は内容物が少量のときに、深く折り曲げてケースを小さめにしたときの斜視図である。【００１４】  素材の紙類としては、厚紙、段ボール紙または平板状の合成樹脂材などが利用できるが、波形ダンボールを用いれば前述したように多大のメリットが得られる。
内容物となる小物としては、化粧品、文房具、フロッピイディスクやＣＤ−ＲＯＭ、さらには、カード、印刷物、ノートなども含まれる。これらを収納し、例えば図６に１点鎖線で示したように、折り返した蓋フラップ５の先端縁をテープＴで止めれば、これをそのまま配送に付すこともできる。なお、そのテープには発送元の会社名などの印刷された物を使えば宣伝効果もあげられる。【００１５】  切欠部６の形状は、内容物が探索しやすく、取り出し易いものが好適である。例えば、カード、印刷物などの場合には、内容物を収納したままそのタイトルが分かるような形にすれば一層便利である。
【図面の簡単な説明】
【００１６】
【図１】は、本考案の平板状素材の一実施例の平面図である。
【図２】は、該素材の底面フラップ３の山折り線３Ｂを山折りしたときの斜視図である。
【図３】は、谷折り線３Ａ、３Ａを谷折りし下フラップ４を上フラップ１に重ねたときの斜視図である。
【図４】は、下フラップ４の接着面４Ｓに上フラップ１の接着面１Ｓを重ねて接着したときの斜視図である。
【図５】は、側面フラップ２を内向きに押してケースの収容空間を形成したときの斜視図である。
【図６】は、蓋フラップ５を谷折り線５Ａによって折り曲げケースの開口部を閉鎖したときの斜視図である。
【図７】は、内容物が少量のとき、深く折り曲げてケースを小さめにしたときの斜視図である。
【符号の説明】
【００１７】  １    上フラップ
２    側面フラップ
３    底面フラップ
４    下フラップ
５    蓋フラップ
６    切欠部
１Ａ  上フラップの谷折り線
１Ｓ  上フラップの表面の接着面
２Ａ  側面フラップの谷折り線
３Ａ  底面フラップの谷折り線
３Ｂ  底面フラップの山折り線
３Ｃ  底面フラップの端部の山折り線
４Ａ  下フラップの谷折り線
４Ｓ  下フラップの裏面の接着面
【図１】
0003135881.tif 000003
【図２】
0003135881.tif 000004
【図３】
0003135881.tif 000005
【図４】
0003135881.tif 000006
【図５】
0003135881.tif 000007
【図６】
0003135881.tif 000008
【図７】
0003135881.tif 000009